(57)【要約】      （修正有）【課題】蓄熱槽の断熱性能、防水性能又はこれらの経時劣化に問題の無い新規な蓄熱槽及びその施工法。【解決手段】蓄熱槽10は、コンクリート躯体11の内面に、いずれもウレタン系樹脂から成る躯体側防水材層12、断熱材層13及び防水材層14を備えている。更に具体的には、コンクリート躯体11の内面形成された断熱防水層は、ウレア−ウレタン樹脂から成る躯体側防水材層12と、硬質ウレタンフォームから成る断熱材層13と、ウレア−ウレタン樹脂から成る防水材層14とを有する。【選択図】図２Ａ
2008231890.tif 000002
【特許請求の範囲】
【請求項１】
コンクリート躯体の内面に、いずれもウレタン系樹脂から成る躯体側防水材層、断熱材層及び防水材層を備えた蓄熱槽。
【請求項２】
コンクリート躯体の内面に断熱防水層を備え、該断熱防水層は、
前記コンクリート躯体の上に形成された、ウレア−ウレタン樹脂から成る躯体側防水材層と、
前記躯体側防水材層の上に形成された、ウレタン樹脂発泡材から成る断熱材層と、
前記断熱材層の上に形成された、ウレア−ウレタン樹脂から成る防水材層とを有する、蓄熱槽。
【請求項３】
請求項２に記載の蓄熱槽において、前記断熱防水層は、更に、
前記防水材層の上に形成されたトップコートを有する、蓄熱槽。
【請求項４】
請求項２に記載の蓄熱槽において、
前記躯体側防水材層及び前記防水材層は、いずれもウレア−ウレタン樹脂を吹付けることにより形成されている、蓄熱槽。
【請求項５】
請求項２に記載の蓄熱槽において、
前記断熱材層は、硬質ウレタンフォームから成る、蓄熱槽。
【請求項６】
請求項２に記載の蓄熱槽において、
前記躯体側防水材層は、厚さ0.5〜5ｍｍであり、
前記断熱材層は、厚さ20〜100ｍｍであり、
前記防水材層は、厚さ1〜5ｍｍである、蓄熱槽。
【請求項７】
請求項２に記載の蓄熱槽において、
前記躯体側防水材層及び前記防水材層を夫々形成するウレア−ウレタン樹脂は、10％以上のウレア結合を含むウレタン樹脂である、蓄熱槽。
【請求項８】
蓄熱槽の施工法において、コンクリート躯体に対して、
躯体側防水材層を形成するためウレタン系樹脂を吹付け、
断熱材層を形成するためウレタン樹脂発泡材を吹付け、
防水材層を形成するためウレタン系樹脂を吹付ける、蓄熱槽の施工法。
【請求項９】
蓄熱槽の施工法において、断熱防水層を形成するため、
躯体側防水材層として、コンクリート躯体に対してウレア−ウレタン樹脂から成る躯体側防水材を吹付け、
断熱材層として、前記躯体側防水材層に対してウレタン樹脂発泡材を吹付けて硬質ウレタンフォームを形成し、
防水材層として、前記断熱材層に対してウレア−ウレタン樹脂から成る防水材を吹付ける、蓄熱槽の施工法。
【請求項１０】
請求項９に記載の蓄熱槽の施工法において、前記防水材層の上に、更に、
トップコートを塗布する、蓄熱槽の施工法。
【請求項１１】
請求項９に記載の蓄熱槽の施工法において、更に、
コンクリート躯体にプライマーを塗布する、蓄熱槽の施工法。
【請求項１２】
請求項９に記載の蓄熱槽の施工法において、
前記ウレア−ウレタン樹脂は、10％以上のウレア結合を含むウレタン樹脂である、蓄熱槽の施工法。
【発明の詳細な説明】
【技術分野】
【０００１】
本発明は、蓄熱槽及びその施工法に関し、更に具体的には、蓄熱槽の断熱防水材及びその施工法に関する。
【背景技術】
【０００２】
最近、エネルギーの有効利用の観点から、ビルの空調設備に蓄熱システムを導入する例が増えている。例えば、図１Ａは、ビル１の空きスペース（二重スラブ）２を水蓄熱槽４として利用した水蓄熱式空調システムの一例である。図１Ｂに示すように、最下階の床スラブ５と基礎スラブ６の間の空間２を利用して蓄熱槽４を形成する。
【０００３】
水蓄熱式空調システムでは、夜間の割安な電力を利用して、蓄熱槽４に熱エネルギとして蓄える。即ち、夜間の電力で熱源機３を運転して、夏の冷房時は冷水を、冬の暖房時には温水を蓄熱槽４に蓄える。昼間は、冷房時には蓄熱槽４に蓄えられた冷水を利用して冷房を行い、暖房時には温水を利用して暖房を行う。
【０００４】
蓄熱をしないシステムでは、昼間（空調時間帯）の空調負荷に合わせて、熱源機を運転する。これに対して、蓄熱システムを採用すると、夜間（空調時間帯以外の時間帯）に蓄熱運転により熱エネルギを蓄え、このエネルギを昼間の空調に利用する（放熱）。空調負荷の多い日は、熱源機３により、追いかけ運転を行う。蓄熱システムは、必要な設備容量を小さくすることができ、経済性に優れている。
【０００５】
コンクリート躯体５，６，７を利用する水槽は、止水性に乏しく、熱損失が大きい。このため、図１Ｂに示すように、蓄熱槽４は、熱エネルギのロスを減少すると共に、コンクリート躯体５，６，７外面の結露を防止するため、コンクリート躯体内面に断熱材８と漏水を防ぐ防水材９とを用いて形成される。
【０００６】
従来、蓄熱槽の断熱・防水工法の代表的なものとして、(1)シート防水工法（ＤＮ工法），(2)エバーライト工法（塗布防水工法），(3)サーモストック工法（吹付け防水工法）、が知られている。なお、これら工法の詳細については、本願発明の実施形態の構成・効果等を説明する際に、その比較対象として後ほど説明する。
【特許文献１】特開平5-157294「断熱蓄熱槽」（公開日：1993年6月22日）
【特許文献２】特開平11-350614「蓄熱槽などの断熱防水施工法」（公開日：1999年12月21日）
【特許文献３】特開平11-350615「蓄熱槽などの断熱防水施工法」（公開日：1999年12月21日）  特許文献１は、要約の記載によると、「断熱材層１の上に、２層の防湿層Ｓ１，Ｓ２間に介在させた金属箔層Ｓ２からなるサンドイッチ層Ｓを少なくとも有し、」とされ、後で説明する本発明に係る蓄熱槽とその構成が相違する。
【０００７】
特許文献２及び特許文献３は、いずれも後で説明するサーモストック工法による断熱蓄熱槽である。
【発明の開示】
【発明が解決しようとする課題】
【０００８】
従来のこれら代表的な工法において、蓄熱槽の断熱性能、防水性能又はこれらの経時劣化に関して、問題があることが判明した。
【課題を解決するための手段】
【０００９】
そこで、本発明は、新規な蓄熱槽を提供することを目的とする。
【００１０】
更に、本発明は、新規な蓄熱槽の施工法を提供することを目的とする。
【００１１】
本発明に係る蓄熱槽は、コンクリート躯体の内面に、いずれもウレタン系樹脂から成る躯体側防水材層、断熱材層及び防水材層を備えている。
【００１２】
更に、本発明に係る蓄熱槽は、コンクリート躯体の内面に断熱防水層を備え、該断熱防水層は、前記コンクリート躯体の上に形成された、ウレア−ウレタン樹脂から成る躯体側防水材層と、前記躯体側防水材層の上に形成された、ウレタン樹脂発泡材から成る断熱材層と、前記断熱材層の上に形成された、ウレア−ウレタン樹脂から成る防水材層とを有する。
【００１３】
更に、上記蓄熱槽では、前記断熱防水層は、更に、前記防水材層の上に形成されたトップコートを有してもよい。
【００１４】
更に、上記蓄熱槽では、前記躯体側防水材層及び前記防水材層は、いずれもウレア−ウレタン樹脂を吹付けることにより形成してもよい。
【００１５】
更に、上記蓄熱槽では、前記断熱材層は、硬質ウレタンフォームから成ることができる。
【００１６】
更に、上記蓄熱槽では、前記躯体側防水材層は、厚さ0.5〜5ｍｍであり、前記断熱材層は、厚さ20〜100ｍｍであり、前記防水材層は、厚さ1〜5ｍｍであってよい。
【００１７】
更に、上記蓄熱槽では、前記躯体側防水材層及び前記防水材層を夫々形成するウレア−ウレタン樹脂は、10％以上のウレア結合を含むウレタン樹脂であってよい。
【００１８】
更に、本発明に係る蓄熱槽の施工法は、コンクリート躯体に対して、躯体側防水材層を形成するためウレタン系樹脂を吹付け、断熱材層を形成するためウレタン樹脂発泡材を吹付け、防水材層を形成するためウレタン系樹脂を吹付ける、施工法である。
【００１９】
更に、本発明に係る蓄熱槽の施工法は、断熱防水層を形成するため、躯体側防水材層として、コンクリート躯体に対してウレア−ウレタン樹脂から成る躯体側防水材を吹付け、断熱材層として、前記躯体側防水材層に対してウレタン樹脂発泡材を吹付けて硬質ウレタンフォームを形成し、防水材層として、前記断熱材層に対してウレア−ウレタン樹脂から成る防水材を吹付ける、施工法である。
【００２０】
更に、上記蓄熱槽の施工法では、前記防水材層の上に、更に、トップコートを塗布してもよい。
【００２１】
更に、上記蓄熱槽の施工法では、更に、コンクリート躯体にプライマーを塗布してもよい。
【００２２】
更に、上記蓄熱槽の施工法では、前記ウレア−ウレタン樹脂は、10％以上のウレア結合を含むウレタン樹脂であってよい。
【発明の効果】
【００２３】
本発明によれば、新規な蓄熱槽を提供することが出来る。
【００２４】
更に、本発明によれば、新規な蓄熱槽の施工法を提供することが出来る。
【発明を実施するための最良の形態】
【００２５】
以下、本発明に係る蓄熱槽及びその施工法の実施形態に関して、添付の図面を参照しながら詳細に説明する。図中、同じ要素に対しては、同じ符号を付して、重複した説明を省略する。
【００２６】
［蓄熱槽の構造］
図２Ａ〜図２Ｃは、本実施形態に係る蓄熱槽の基本的な構造を説明する図である。図２Ａは、蓄熱槽の層構成が明らかになるように各層の切断位置を変えて示した、蓄熱槽１０の縦方向断面図である。図２Ａに示すように、この蓄熱槽１０は、コンクリート躯体１１の内側に、断熱・防水材層として、コンクリート躯体１１からの漏水防止するウレア−ウレタン樹脂から成る躯体側防水材層１２と、硬質ウレタンフォーム（発泡材）から成る断熱材層１３と、ウレア−ウレタン樹脂から成る防水材層１４とを備えている。更に、この蓄熱槽１０は、必要に応じて、防水材層の上にトップコート層（図示せず。）を形成してもよい。
【００２７】
躯体側防水材層１２は、超速硬化ウレア−ウレタン樹脂からなる。この躯体側防水材層の厚さは、好ましくは、厚さ約0.5〜5ｍｍ、目標値は約1ｍｍである。例えば、躯体側防水材は、市場において、「防水材ウレタンリムＳＲ」として入手可能である。躯体側防水材層１２は、コンクリート躯体１１に対して吹付けることにより形成される。
【００２８】
断熱材層１３は、現場で発泡させるウレタン樹脂発泡材からなる。この防水材層１３の厚さは、好ましくは、厚さ約20〜100ｍｍ、目標値は約30ｍｍである。断熱材は、例えば、市場において、「断熱エアライトフォームＳＨ−４０２」として入手可能である。
【００２９】
一般に、断熱材に水が侵入すると断熱材はこの水を含んで、断熱性能は一気に失われる。そこで、断熱材層に水が侵入しないようにするため、防水材層が必要になる。
【００３０】
防水材層１４は、躯体防水材層１２と同じ超速硬化ウレア−ウレタン樹脂からなる。防水材層１４の厚さは、好ましくは、厚さ約1〜5ｍｍ、目標値は約3ｍｍである。防水材は、例えば、市場において、「防水材ウレタンリムＳＲ」として入手可能である。
【００３１】
トップコート材は、フッ素樹脂，アクリルウレタン樹脂等から成る。トップコートは、透湿係数を更に抑えるために用いられる。
【００３２】
ここで、躯体側防水材層１２及び防水材層１４に使用される超速硬化ウレア−ウレタン樹脂について説明する。ウレア−ウレタン樹脂は、イソシアネート化合物とポリオール化合物、ポリアミンとが反応して得られる。
(1)イソシアネート＋ポリオール→ポリウレタン樹脂
(2)イソシアネート＋ポリアミン→ポリウレア樹脂
ここで、イソシアネートとポリアミンが反応してウレア結合（尿素結合）を生成するため、生成した樹脂は特にポリウレア樹脂と呼称し、ポリウレタン樹脂と区別している。
【００３３】
ウレア−ウレタン樹脂は、ウレタン系樹脂であり、具体的にはウレア結合を含んだウレタン樹脂である。ウレア樹脂は、引張強度、引裂き強さ、伸び率、耐熱性、耐薬品性に優れた特性を持っている。従って、ウレア−ウレタン樹脂においてウレア結合の比率を高めた方が上記特性をより良く発揮する。しかし、現場の作業性において、ウレア樹脂は超速乾性であるため、吹付けると瞬時に硬化する。結果として、ピンホールが出来やすい欠点を有する。このウレア樹脂の超速乾性を緩和して欠点を無くすため、ウレタン樹脂が用いられる。
【００３４】
ウレア−ウレタン樹脂の各樹脂の比率(％)は、ウレア結合：ウレタン結合の比が公称値15：85を品番ＳＲ、ウレア結合：ウレタン結合の比が公称値50：50を品番ＳＶと呼んでいる。本実施形態で躯体側防水材層１２及び防水材層１４に使用される超速硬化ウレア−ウレタン樹脂は、好ましくは少なくとも10％以上のウレア結合を含むウレタン樹脂である。
【００３５】
本実施形態に係る蓄熱槽１０は、次のような特徴を有する。
【００３６】
防水断熱材層１６として、基本的に躯体側防水材層１２、断熱材層１３及び防水材層１４から成る3層構造である。即ち、断熱材層１３を真ん中にして両側を防水材層１２，１４で挟んだサンドイッチ構造となっている。
【００３７】
この3層は、いずれもウレタン樹脂又はウレタン系樹脂から成る。そのため、各層間の密着性が良好である。その結果、各層間の界面剥離、界面破断のおそれが少ない。
【００３８】
この3層は、いずれもウレタン樹脂又はウレタン系樹脂から成る。そのため、堅牢且つ伸縮に富み、破断のおそれが少ない。
【００３９】
3層の各層がウレタン樹脂又はウレタン系樹脂から成るため、各層が極めて近似した線膨張係数を有する。その結果、各層間の界面剥離、界面破断のおそれが少ない。
【００４０】
3層の各層がスプレー方式による吹付けにより施工される。このため、各層共に、継ぎ目のない（シームレス）断熱防水層を形成する。この結果、全体として漏水のおそれが無い防水層が形成される。また、蓄放熱サイクルによって生じる応力も、面全体で支えることとなり、特定箇所への応力集中が無い。
【００４１】
3層の各層がスプレー方式による吹付けにより施工される。このため、小規模蓄熱槽、形状の複雑な蓄熱槽に対しても容易に対応できる。
【００４２】
3層とも速乾性樹脂を採用するため養生期間が短くて済む。更に、各層がウレタン樹脂又はウレタン系樹脂から成るため、下地層が半硬化状態で、次の層の施工が可能である。
【００４３】
3層の各層がスプレー方式による吹付けにより施工される。このため、材料としては、液状の樹脂を搬入するだけで済む。シート防水材、ボード状断熱材を使用する他の工法に比較して、現場の資材占有領域が極端に小さくて済む。
【００４４】
躯体側防水材１２としてウレタン系樹脂（ウレア−ウレタン樹脂）を使用しているため、躯体コンクリート１１の表面が湧水で湿潤状態になった場合、躯体側防水材層１２はコンクリート躯体１１から剥離し、湧水の逃げ道を作る。本実施形態に係る蓄熱槽１０の工法は密着工法でありながら、絶縁工法の特徴をも併せ持っている。
【００４５】
図２Ｂは、蓄熱槽水１７を蓄えた蓄熱槽１０の状態を示す図である。
【００４６】
［蓄熱槽の施工法］
図３は、図２に示した本実施形態に係る蓄熱槽の施工法を説明する図である。
【００４７】
ステップＳ０１で、密着工法を採用した場合には、コンクリート躯体にプライマーを塗布し、密着性を高める。コンクリート躯体１１とその上に形成される躯体側防水材層１２との密着性を向上させるためである。図２Ｃに示すように、プライマー１８によって、天井１１ａと壁１１ｂの取り合い部のような要部を固定する。なお、絶縁工法を採用した場合には、プライマー塗布は行わない。
【００４８】
ステップＳ０２で、躯体側防水材層１２を形成のため、コンクリート躯体１１に対してウレア−ウレタン樹脂から成る躯体側防水材を吹付ける。
【００４９】
ステップＳ０３で、断熱材層１３を形成のため、躯体側防水材層１２に対して現場発泡ウレタン樹脂を吹付け発泡させ、硬質ウレタンフォームを形成する。
【００５０】
ステップＳ０４で、防水材層１４を形成のため、断熱材層１３に対してウレア−ウレタン樹脂から成る防水材を吹付ける。
【００５１】
ステップＳ０５で、必要に応じてトップコート（図示せず。）を塗布する。
【００５２】
［実施形態の利点・効果］
本実施形態に係る蓄熱槽の利点・効果を、従来の代表的な工法であるシート防水工法による蓄熱槽（図４）、エバーライト防水工法による蓄熱槽（図５）及びサーモストック防水工法による蓄熱槽（図６）と比較しながら、説明する。図では、蓄えられた蓄熱槽水のある側を、「（蓄熱用水）」として表示する。
【００５３】
図４Ａは、従来のシート防水工法（ＤＮ工法）による蓄熱槽４０を示す図である。シート防水工法は、乾式工法の代表的なものである。シート防水工法は、断熱材層４１として、コンクリート躯体１１に対してボード状発泡体である抽出法ポリスチレンフォームを敷き詰め、断熱材固定ピン４２によって機械的に固定する（図４Ａ、４Ｂ参照）。防水材層４３として、断熱材層４１に対して軟質塩化ビニールシート（「ＤＮシート」ともいう。）を防水材固定ピン４４によって機械的に固定する（図４Ｃ参照）。
【００５４】
抽出法ポリスチレンフォームとして代表的なものに、ダウ加工(株)から入手可能な「スタイロフォーム」（登録商標）がある。軟質塩化ビニールシートは、定尺シートをカット若しくは貼り合わせて使用する。
【００５５】
シート防水工法による蓄熱槽４０を本実施形態に係る蓄熱槽１０と比較すると、次の相違がある。
【００５６】
(1)基本的に、断熱材層４１と防水材層４３の2層構造である。本実施形態に係る蓄熱槽１０は、基本的に3層構造である。
【００５７】
(2)図４Ａに示すように、コンクリート躯体１１に対する断熱材層４１及び防水材層４３を固定するため固定ピン４２，４４を使用している。蓄熱槽４０には温水、冷水（氷を含む場合がある。）が繰り返し流入・流出するため、この蓄放熱サイクルにより、断熱材層４１及び防水材層４３のピン孔径が拡大し、漏水、破損の原因になるおそれがある。本実施形態に係る蓄熱槽１０は、固定ピンを使用していない。
【００５８】
(3)断熱材層４１として、ボード状発泡体を敷き詰めるため、小型蓄熱槽、形状の複雑な蓄熱槽に対しては不向きである。本実施形態に係る蓄熱槽１０は、3層のいずれの層も吹付けにより施工される。
【００５９】
(4)図４Ｂに示すように、軟質塩化ビニールシートをカット若しくは貼り合わせて使用するため、継ぎ目部分４６の防水性能が劣化するおそれがある。また、このため、小型蓄熱槽、形状の複雑な蓄熱槽に対しては不向きである。更に、図４Ｄに示すように、形状の複雑な箇所（例えば、入隅部、出隅部等）においても軟質塩化ビニールシートを重ねて貼り合わせねばならず、作業性が悪く、コストアップにつながる。本実施形態に係る蓄熱槽１０は、3層のいずれの層も吹付けにより施工され、シームレス構造となっている。
【００６０】
図５は、従来のエバーライト防水工法による蓄熱槽５０を示す図である。エバーライト防水工法は、躯体側防水材層５１として、湿潤硬化型エポキシ樹脂を鏝塗りで塗布する。断熱材層５２として、躯体側防水材層５１に対して硬質ポリウレタンフォームを現場発泡スプレー方式により吹付ける。防水材層５３として、断熱材層５２に対してエポキシ樹脂防水材を鏝塗りで塗布する。このエポキシ樹脂防水材層５３は、下塗り、中塗り、仕上げ塗りとする場合が多い。
【００６１】
エバーライト防水工法による蓄熱槽５０を本実施形態に係る蓄熱槽１０と比較すると、次の相違がある。
【００６２】
(1)躯体側防水材５１としての湿潤硬化型エポキシ樹脂はコンクリート躯体１１に完全密着し、断熱材５２と別個に膨張収縮する。このため躯体側防水材層５１と断熱材層５２との界面で界面剥離のおそれがある。本実施形態に係る蓄熱槽１０は、躯体側防水材層１２としてウレタン系樹脂（ウレア−ウレタン樹脂）を使用しているため、コンクリート表面が湧水で湿潤状態になった場合、躯体側防水材層１２はコンクリート躯体１１から剥離して絶縁工法の特徴も有する。
【００６３】
(2)躯体側防水材層（湿潤硬化型エポキシ樹脂）５１と断熱材層（硬質ポリウレタンフォーム）５２との線膨張係数の差、及び断熱材層（硬質ポリウレタンフォーム）５２と防水材層（エポキシ樹脂）５３との線膨張係数の差により、夫々の界面で界面剥離のおそれがある。本実施形態に係る蓄熱槽１０は、各層がウレタン樹脂又はウレタン系樹脂から成るため、各層が極めて近似した線膨張係数を有する。
【００６４】
(3)エポキシ樹脂防水材５３は、剪断力に対して脆弱であり、水抜き・乾燥させると乾燥クラックが入るおそれがある。本実施形態に係る蓄熱槽１０は、3層のいずれもウレタン樹脂又はウレタン系樹脂から成る。そのため、堅牢且つ伸縮に富み、破断のおそれが少ない。
【００６５】
(4)エポキシ樹脂５３は、樹脂硬化まで養生期間が長い。本実施形態に係る蓄熱槽１０は、3層とも速乾性樹脂を採用するため養生期間が短い。
【００６６】
図６は、従来のサーモストック防水工法による蓄熱槽６０を示す図である。サーモストック防水工法は、断熱材層６１として、コンクリート躯体１１に対してボード状発泡体の抽出法ポリスチレンフォームを敷き詰め、断熱材固定ピン６２によって機械的に固定する。防水材層６３として、超速硬化ウレタン樹脂防水材を吹付ける。
【００６７】
抽出法ポリスチレンフォームとして代表的なものに、ダウ加工(株)から入手可能な「スタイロフォーム」（登録商標）がある。ウレタン樹脂防水材として代表的なものに、(株)ダイフレックスＣＳから入手可能な「レジマックス」がある。
【００６８】
サーモストック防水工法による蓄熱槽６０を本実施形態に係る蓄熱槽１０と比較すると、次の相違がある。
【００６９】
(1)基本的に、断熱材層６１と防水材層６３の2層構造である。本実施形態に係る蓄熱槽は、基本的に3層構造である。
【００７０】
(2)コンクリート躯体１１に対する断熱材層６１を固定するため固定ピン６２を使用している。蓄熱槽６０には温水、冷水（氷を含む場合がある。）が繰り返し流入・流出するため、この蓄放熱サイクルにより、断熱材層６１のピン孔径が拡大し、漏水、破損の原因になるおそれがある。本実施形態に係る蓄熱槽１０は、固定ピンを使用していない。
【００７１】
(3)断熱材層６１として、ボード状発泡体を敷き詰めるため、小型蓄熱槽、形状の複雑な蓄熱槽に対しては不向きである。本実施形態に係る蓄熱槽１０は、3層のいずれの層も吹付けにより施工される。
【００７２】
(4)ボード状発泡体の断熱材の継ぎ目を補強するためガラスクロスを装填して防水材を吹付けるため、蓄放熱サイクルによりこの部分が脆弱化する。本実施形態に係る蓄熱槽は、3層のいずれの層も吹付けにより施工されるシームレス構造である。
【００７３】
(5)ポリスチレンフォーム断熱材層と超速硬化ウレタン樹脂防水材層との線膨張係数の差が大きく、界面において界面剥離のおそれがある。本実施形態に係る蓄熱槽１０は、各層がウレタン樹脂又はウレタン系樹脂から成るため、各層が極めて近似した線膨張係数を有する。
【００７４】
以上説明したように、本実施形態に係る蓄熱槽１０及びその施工法は、上述した従来の代表的な工法と相違し、これらにない利点・効果を有している。
【００７５】
［その他］
以上、本発明に係る蓄熱槽及びその施工法の実施形態に関して説明したが、これらは例示であって、本発明はこれらに限定されない。当業者が、これら実施形態に対して容易になしえる追加・削除・変更・改良等は、本発明に含まれる。本発明の技術的範囲は、添付の特許請求の範囲の記載によって定められる。
【図面の簡単な説明】
【００７６】
【図１Ａ】図１Ａは、ビルの空きスペース（二重スラブ）を水蓄熱槽として利用した水蓄熱式空調システムの一例を示す図である。
【図１Ｂ】図１Ｂは、図１Ａの水蓄熱式空調システムにおいて、最下階の床スラブと基礎スラブの間の空間を利用して蓄熱槽を形成している様子を説明する図である。
【図２Ａ】図２Ａは、本実施形態に係る蓄熱槽の縦方向断面図であり、層構成が明らかになるように各層の切断位置を変えて示している。
【図２Ｂ】図２Ｂは、図２Ａの蓄熱槽に蓄熱槽水が蓄えられた状態を示す図である。
【図２Ｃ】図２Ｂは、図２Ａの蓄熱槽の施工時に、コンクリート躯体に対して躯体側防水材層をプライマーで固定する様子を説明する図である。
【図３】図３は、図２の蓄熱槽の施工法を説明する図である。
【図４Ａ】図４Ａは、従来のシート防水工法（ＤＮ工法）による蓄熱槽を示す図である。
【図４Ｂ】図４Ｂは、図４Ａのシート防水工法において、軟質塩化ビニールシートを貼り合わせて防水材層を形成する様子を説明する図である。
【図４Ｃ】図４Ｃは、図４Ａのシート防水工法において、防水材層である軟質塩化ビニールシートを防水材固定ピンによって機械的に固定する様子を説明する図である。
【図４Ｄ】図４Ｄは、図４Ａのシート防水工法において、入隅部、出隅部等の特殊な形状の箇所において軟質塩化ビニールシートを貼り合わせて防水材層を形成する様子を説明する図である。
【図５】図５は、従来のエバーライト防水工法による蓄熱槽を示す図である。
【図６】図６は、従来のサーモストック防水工法による蓄熱槽を示す図である。
【符号の説明】
【００７７】
蓄熱槽１：ビル、  ２：空きスペース、  ３：熱源機、  ４：水蓄熱槽，蓄熱槽、  ５：床スラブ，コンクリート躯体、  ６：基礎スラブ，コンクリート躯体、  ７：コンクリート躯体、  １０：蓄熱槽、  １１：コンクリート躯体、  １２：躯体側防水材層、  １３：断熱材層、  １４：防水材層、  １７：蓄熱槽水、  １８：プライマー、  ４０：蓄熱槽、  ４１：断熱材層、  ４２：固定ピン、  ４３：防水材層、  ４４：固定ピン、  ５０：蓄熱槽、  ５１：躯体側防水材層、  ５２：断熱材層、  ５３：：防水材層、  ６０：蓄熱槽、  ６１：断熱材層、  ６２：：固定ピン、  ６３：防水材層、
【図１Ａ】
2008231890.tif 000003
【図１Ｂ】
2008231890.tif 000004
【図２Ａ】
2008231890.tif 000005
【図２Ｂ】
2008231890.tif 000006
【図２Ｃ】
2008231890.tif 000007
【図３】
2008231890.tif 000008
【図４Ａ】
2008231890.tif 000009
【図４Ｂ】
2008231890.tif 000010
【図４Ｃ】
2008231890.tif 000011
【図４Ｄ】
2008231890.tif 000012
【図５】
2008231890.tif 000013
【図６】
2008231890.tif 000014